(57)【要約】【課題】パウチに収容されている内容物がパウチの外部に漏れ出てしまうことを抑制する。【解決手段】パウチは、第１側部シール部、第２側部シール部及び下部シール部と、パウチの上部寄りに位置し、第１側部シール部によって収容部から隔離された第１非シール部とを備える。第１側部シール部は、第１非シール部からパウチの上部へ向かって延びる上側シール部分と、第１非シール部からパウチの下部へ向かって延びる下側シール部分と、収容部と第１非シール部との間に位置する中間シール部分と、を有する。中間シール部分の内縁は、第１内縁と、第２内縁と、下側シール部分寄りに位置し、第１内縁と第２内縁とを連結する内縁第１連結部と、を含む。第１内縁は、内縁第１連結部から下側シール部分の側へ延びている。第２内縁は、内縁第１連結部からパウチの上部に向かうにつれて少なくとも部分的に第２側部側へ変位するように延びている。【選択図】図１
2020037451.tif 000002
【特許請求の範囲】
【請求項１】
内容物を収容する収容部が表面フィルムと裏面フィルムとの間に画成されたパウチであって、
前記パウチの第１側部に位置し、前記表面フィルムの内面と前記裏面フィルムの内面とを接合する第１側部シール部と、
前記パウチの前記第１側部に対向する第２側部に位置し、前記第１側部シール部との間に前記収容部を画成する第２側部シール部と、
前記第１側部シール部及び前記第２側部シール部に連設された下部シール部と、
前記パウチの上部寄りに位置し、前記第１側部シール部によって前記収容部から隔離された第１非シール部であって、前記パウチの前記第１側部の第１側縁に達するよう広がる第１非シール部と、を備え、
前記第１側部シール部は、前記第１非シール部から前記パウチの上部へ向かって前記第１側部に沿って延びる上側シール部分と、前記第１非シール部から前記パウチの下部へ向かって前記第１側部に沿って延びる下側シール部分と、一端が前記上側シール部分に連設され、他端が前記下側シール部分に連設され、前記収容部と前記第１非シール部との間に位置する中間シール部分と、を有し、
前記中間シール部分の内縁は、第１内縁と、第２内縁と、前記下側シール部分寄りに位置し、前記第１内縁と前記第２内縁とを連結する内縁第１連結部と、を含み、
前記第１内縁は、前記内縁第１連結部から前記下側シール部分の側へ延びており、
前記第２内縁は、前記内縁第１連結部から前記パウチの上部に向かうにつれて少なくとも部分的に前記第２側部側へ変位するように延びている、パウチ。
【請求項２】
前記中間シール部分の前記内縁は、前記第２内縁よりも前記パウチの上部寄りに位置する第３内縁と、前記第２内縁と前記第３内縁とを連結する内縁第２連結部と、を含み、
前記第１内縁及び前記第２内縁は、直線状に延びている、請求項１に記載のパウチ。
【請求項３】
前記第３内縁は、前記内縁第２連結部から前記パウチの上部に向かうにつれて少なくとも部分的に前記第１側部側へ変位するように延びている、請求項２に記載のパウチ。
【請求項４】
前記中間シール部分のうち前記第３内縁に対応する部分の幅が、前記第１側部の側から前記内縁第２連結部の側に向かうにつれて少なくとも部分的に増加している、請求項３に記載のパウチ。
【請求項５】
前記内縁第１連結部及び前記収容部の中心点を通る直線と前記第１内縁が延びる方向とが成す角度が、前記内縁第１連結部及び前記収容部の中心点を通る直線と前記第２内縁が延びる方向とが成す角度よりも小さい、請求項１乃至４のいずれか一項に記載のパウチ。
【請求項６】
前記第１非シール部の縁部は、前記上側シール部分寄りに位置し、前記パウチの上部に向かうにつれて前記第１側部側へ変位するように延びるガイド縁部を含む、請求項１乃至５のいずれか一項に記載のパウチ。
【請求項７】
前記ガイド縁部は、前記第１側部の前記第１側縁に至るよう延びている、請求項６に記載のパウチ。
【請求項８】
前記ガイド縁部は、直線状に延びている、請求項６又は７に記載のパウチ。
【請求項９】
前記ガイド縁部は、前記第１非シール部の側から前記収容部の側に向かって凸となる形状を少なくとも部分的に含んでいる、請求項６又は７に記載のパウチ。
【請求項１０】
前記ガイド縁部は、少なくとも部分的に湾曲している、請求項６乃至９のいずれか一項に記載のパウチ。
【発明の詳細な説明】
【技術分野】
【０００１】
本発明は、内容物を収容する収容部と、第１側部シール部によって収容部から隔離された第１非シール部と、を備えるパウチに関する。
【背景技術】
【０００２】
従来、調理済あるいは半調理済の液体、粘体あるいは液体と固体とが混在する内容物を、プラスチック製の積層体から構成されたパウチに充填密封したものが多く市場に出回っている。パウチにおいては、積層体同士が接合されていない非シール部が、内容物が収容される収容部を構成している。また、積層体同士が接合されているシール部が、収容部を密封している。内容物は、例えば、カレー、シチュー、スープ等の調理済食品である。内容物は、パウチに収容された状態で、電子レンジなどによって加熱される。
【０００３】
ところで、密封された状態のパウチに収容された内容物を、電子レンジを利用して加熱すると、加熱に伴って内容物に含まれる水分が蒸発して収容部の圧力が高まっていく。パウチの収容部の圧力が高まると、パウチが破裂して内容物が飛散し電子レンジ内を汚してしまうおそれがある。このような課題を考慮し、例えば特許文献１は、収容部の圧力が高まると収容部と外部とを自動的に連通させて収容部内の蒸気を外部に逃がす蒸気抜き機構をパウチに設けることを提案している。特許文献１において、蒸気抜き機構は、パウチの上側の側部シール部と下側の側部シール部との間に位置する中間シール部と、中間シール部によって収容部から隔離されるとともに、パウチの側縁に達するように広がる非シール部と、を有する。収容部の圧力が高まると、中間シール部が剥離し、収容部と非シール部とが連通する。
【先行技術文献】
【特許文献】
【０００４】
【特許文献１】特開平１０−１０１１５４号公報
【発明の概要】
【発明が解決しようとする課題】
【０００５】
特許文献１において、中間シール部が過剰に剥離すると、パウチに収容されている内容物が、中間シール部の剥離箇所を介してパウチの外部に漏れ出てしまうおそれがある。
【０００６】
本発明は、このような課題を効果的に解決し得るパウチを提供することを目的とする。
【課題を解決するための手段】
【０００７】
本発明は、内容物を収容する収容部が表面フィルムと裏面フィルムとの間に画成されたパウチであって、前記パウチの第１側部に位置し、前記表面フィルムの内面と前記裏面フィルムの内面とを接合する第１側部シール部と、前記パウチの前記第１側部に対向する第２側部に位置し、前記第１側部シール部との間に前記収容部を画成する第２側部シール部と、前記第１側部シール部及び前記第２側部シール部に連設された下部シール部と、前記パウチの上部寄りに位置し、前記第１側部シール部によって前記収容部から隔離された第１非シール部であって、前記パウチの前記第１側部の第１側縁に達するよう広がる第１非シール部と、を備え、前記第１側部シール部は、前記第１非シール部から前記パウチの上部へ向かって前記第１側部に沿って延びる上側シール部分と、前記第１非シール部から前記パウチの下部へ向かって前記第１側部に沿って延びる下側シール部分と、一端が前記上側シール部分に連設され、他端が前記下側シール部分に連設され、前記収容部と前記第１非シール部との間に位置する中間シール部分と、を有し、前記中間シール部分の内縁は、第１内縁と、第２内縁と、前記下側シール部分寄りに位置し、前記第１内縁と前記第２内縁とを連結する内縁第１連結部と、を含み、前記第１内縁は、前記内縁第１連結部から前記下側シール部分の側へ延びており、前記第２内縁は、前記内縁第１連結部から前記パウチの上部に向かうにつれて少なくとも部分的に前記第２側部側へ変位するように延びている、パウチである。
【０００８】
本発明によるパウチにおいて、前記中間シール部分の前記内縁は、前記第２内縁よりも前記パウチの上部寄りに位置する第３内縁と、前記第２内縁と前記第３内縁とを連結する内縁第２連結部と、を含み、前記第１内縁及び前記第２内縁は、直線状に延びていてもよい。
【０００９】
本発明によるパウチにおいて、前記内縁第１連結部及び前記収容部の中心点を通る直線と前記第１内縁が延びる方向とが成す角度が、前記内縁第１連結部及び前記収容部の中心点を通る直線と前記第２内縁が延びる方向とが成す角度よりも小さくてもよい。
【００１０】
本発明によるパウチにおいて、前記第３内縁は、前記内縁第２連結部から前記パウチの上部に向かうにつれて少なくとも部分的に前記第１側部側へ変位するように延びていてもよい。
【００１１】
本発明によるパウチにおいて、前記中間シール部分のうち前記第３内縁に対応する部分の幅が、前記第１側部の側から前記内縁第２連結部の側に向かうにつれて少なくとも部分的に増加していてもよい。
【００１２】
本発明によるパウチにおいて、前記第１非シール部の縁部は、前記上側シール部分寄りに位置し、前記パウチの上部に向かうにつれて前記第１側部側へ変位するように延びるガイド縁部を含んでいてもよい。
【００１３】
本発明によるパウチにおいて、前記ガイド縁部は、前記第１側部の前記第１側縁に至るよう延びていてもよい。
【００１４】
本発明によるパウチにおいて、前記ガイド縁部は、直線状に延びていてもよい。
【００１５】
本発明によるパウチにおいて、前記ガイド縁部は、前記第１非シール部の側から前記収容部の側に向かって凸となる形状を少なくとも部分的に含んでいてもよい。
【００１６】
本発明によるパウチにおいて、前記ガイド縁部は、少なくとも部分的に湾曲していてもよい。
【発明の効果】
【００１７】
本発明によれば、パウチに収容されている内容物がパウチの外部に漏れ出てしまうことを抑制することができる。
【図面の簡単な説明】
【００１８】
【図１】本発明の実施の形態におけるパウチを示す正面図である。
【図２】図１に示すパウチをII−II線に沿って見た場合を示す断面図である。
【図３】パウチの第１側部シール部の中間シール部分及び第１非シール部を拡大して示す正面図である。
【図４】内縁第１連結部を説明するための図である。
【図５Ａ】図３の中間シール部分の内縁第１連結部及びその周辺部分を更に拡大して示す正面図である。
【図５Ｂ】パウチの第１側部シール部の中間シール部分及び第１非シール部と第２仮想直線との関係を示す正面図である。
【図６】パウチを構成する積層体の層構成の一例を示す断面図である。
【図７】パウチを加熱した場合の様子を示す正面図である。
【図８】第１側部シール部の中間シール部が内縁第１連結部において剥離し始める様子を示す図である。
【図９】第１側部シール部の中間シール部の剥離が更に進行して収容部が第１非シール部に連通する様子を示す図である。
【図１０】第１側部シール部の中間シール部の剥離が更に進行する様子を示す図である。
【図１１】収容部から第１非シール部へ蒸気が排出される様子を示す図である。
【図１２】第１側部シール部の中間シール部分及び第１非シール部の一変形例を示す正面図である。
【図１３】第１側部シール部の中間シール部分及び第１非シール部の一変形例を示す正面図である。
【図１４】第１側部シール部の中間シール部分及び第１非シール部の一変形例を示す正面図である。
【図１５】パウチの一変形例を示す正面図である。
【図１６】パウチの一変形例を示す正面図である。
【図１７】図１６の第２側部シール部の中間シール部分を拡大して示す正面図である。
【図１８】第２側部シール部の中間シール部分の一変形例を示す正面図である。
【図１９】第２側部シール部の中間シール部分の一変形例を示す正面図である。
【図２０】第１側部シール部の中間シール部分及び第１非シール部の一変形例を示す正面図である。
【図２１】第１側部シール部の中間シール部分及び第１非シール部の一変形例を示す正面図である。
【図２２】パウチの一変形例を示す正面図である。
【発明を実施するための形態】
【００１９】
図１乃至図１０を参照して、本発明の一実施の形態について説明する。なお、本件明細書に添付する図面においては、図示と理解のしやすさの便宜上、縮尺および縦横の寸法比等を、実物のそれらから適宜変更し誇張してある。
【００２０】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２１】
パウチ
図１は、本実施の形態によるパウチ１０を表面側から見た場合を示す正面図である。本実施の形態において、パウチ１０は、自立可能に構成された底ガセット式のパウチである。パウチ１０は、上部１１、下部１２、第１側部１３及び第２側部１４を含み、正面図において略矩形状の輪郭を有する。なお、「上部」、「下部」及び「側部」などの名称、並びに、「上方」、「下方」などの用語は、ガセット部を下にしてパウチ１０が自立している状態を基準としてパウチ１０やその構成要素の位置や方向を相対的に表したものに過ぎない。パウチ１０の輸送時や使用時の姿勢などは、本明細書における名称や用語によっては限定されない。
【００２２】
なお、図１においては、内容物が収容されていない状態のパウチ１０が示されている。本実施の形態によるパウチ１０は、電子レンジによって内容物が加熱される電子レンジ用パウチとして好適に使用することができるよう構成されている。電子レンジによって加熱され得る限りにおいて、パウチ１０に収容される内容物は特には限られない。例えば、パウチ１０に収容される内容物として、カレー、シチュー、スープ、煮物、ハンバーグ等の調理済食品を挙げることができる。
【００２３】
図１に示すように、パウチ１０は、表面を構成する表面フィルム１５、裏面を構成する裏面フィルム１６、及び、下部１２を構成する下部フィルム１７を備える。表面フィルム１５と裏面フィルム１６との間に、内容物を収容する収容部１８が画成される。下部フィルム１７は、折り返し部１７ｆで折り返された状態で、表面フィルム１５と裏面フィルム１６との間に配置されている。なお、図１においては、裏面フィルム１６などの、パウチ１０を表面側から見た場合には視認されない構成要素が点線で表されている。
【００２４】
なお、上述の「表面フィルム」、「裏面フィルム」及び「下部フィルム」という用語は、位置関係に応じて各フィルムを区画したものに過ぎず、パウチ１０を製造する際のフィルムの提供方法が、上述の用語によって限定されることはない。例えば、パウチ１０は、表面フィルム１５と裏面フィルム１６と下部フィルム１７が連設された１枚のフィルムを用いて製造されてもよく、表面フィルム１５と下部フィルム１７が連設された１枚のフィルムと１枚の裏面フィルム１６の計２枚のフィルムを用いて製造されてもよく、１枚の表面フィルム１５と１枚の裏面フィルム１６と１枚の下部フィルム１７の計３枚のフィルムを用いて製造されてもよい。
【００２５】
表面フィルム１５、裏面フィルム１６及び下部フィルム１７は、内面同士がシール部によって接合されている。図１などのパウチ１０の平面図においは、シール部にハッチングが施されている。なお、対向するフィルム同士を接合することができる限りにおいて、シール部を形成するための方法が特に限られることはない。例えば、加熱などによってフィルムの内面を溶融させ、内面同士を溶着させることによって、すなわちヒートシールによって、シール部を形成してもよい。若しくは、接着剤などを用いて対向するフィルムの内面同士を接着することによって、シール部を形成してもよい。
【００２６】
図１に示すように、パウチ１０のシール部は、第１側部シール部３０、第２側部シール部３５及び下部シール部１２ａを有する。第１側部シール部３０は、パウチ１０の第１側部１３に位置する。第２側部シール部３５は、パウチ１０の第１側部１３に対向する第２側部１４に位置する。下部シール部１２ａは、パウチ１０の下部１２に位置し、第１側部シール部３０及び第２側部シール部３５に連設されている。第１側部シール部３０、第２側部シール部３５及び下部シール部１２ａによって囲われた非シール部が、内容物を収容する収容部１８として機能する。
【００２７】
第１側部シール部３０及び第２側部シール部３５は、表面フィルム１５の内面と裏面フィルム１６の内面とを接合している。一方、下部シール部１２ａは、表面フィルム１５の内面と下部フィルム１７の内面とを、又は、裏面フィルム１６の内面と下部フィルム１７の内面とを接合している。
【００２８】
また、パウチ１０は、収容部１８として機能する非シール部に加えて、図１に示すように、第１側部シール部３０によって収容部１８から隔離された第１非シール部４０を更に備える。非シール部とは、対向する内面同士が接合されていないフィルムが存在する部分である。第１非シール部４０は、パウチ１０の上部１１寄りに位置している。「上部１１寄り」とは、第１非シール部４０及び第２非シール部４５が、収容部１８の中心点Ｃよりも上部１１側に位置することを意味する。
【００２９】
図１に示すように、第１非シール部４０は、パウチ１０の第１側部１３の第１側縁１３ｘに達するよう広がっている。言い換えると、第１非シール部４０は、第１側縁１３ｘに重なり、外部に開口した開口縁部４１を有する。
【００３０】
第１側部シール部３０及び第１非シール部４０について更に説明する。
【００３１】
図１に示すように、第１側部シール部３０は、上側シール部分３１、下側シール部分３２及び中間シール部分３３を有する。上側シール部分３１は、第１非シール部４０からパウチ１０の上部１１へ向かって第１側部１３に沿って延びている。下側シール部分３２は、第１非シール部４０からパウチ１０の下部１２へ向かって第１側部１３に沿って延びている。中間シール部分３３は、収容部１８と第１非シール部４０との間に位置している。中間シール部分３３は、上側シール部分３１に連設された一端と、下側シール部分３２に連設された他端と、を含む。
【００３２】
図２は、図１に示すパウチ１０をII−II線に沿って見た場合を示す断面図である。パウチ１０を加熱し、収容部１８に蒸気が発生して収容部１８の圧力が高まると、中間シール部分３３が部分的に剥離して収容部１８と第１非シール部４０とが連通する。収容部１８から第１非シール部４０に流入した蒸気は、開口縁部４１から外部に排出される。このように、中間シール部分３３及び第１非シール部４０は、収容部１８の蒸気を外部に排出する蒸気抜き機構として機能する。
【００３３】
図３は、パウチ１０の第１側部シール部３０の中間シール部分３３及び第１非シール部４０を拡大して示す正面図である。中間シール部分３３は、収容部１８の側に位置する縁部である内縁３４と、第１非シール部４０の側に位置する縁部である外縁と、を含む。中間シール部分３３の外縁は、第１非シール部４０の縁部のうち上側シール部分３１又は下側シール部分３２よりも収容部１８側に位置する部分の輪郭を画定している。
【００３４】
本実施の形態において、中間シール部分３３の内縁３４は、第１内縁３４１、第２内縁３４２及び第３内縁３４３と、第１内縁３４１と第２内縁３４２とを連結する内縁第１連結部３４６と、第２内縁３４２と第３内縁３４３とを連結する内縁第２連結部３４７と、を含む。本実施の形態において、第１内縁３４１、第２内縁３４２及び第３内縁３４３はいずれも直線状に延びている。
【００３５】
第１内縁３４１は、内縁第１連結部３４６から下側シール部分３２の側へ延びている。例えば、第１内縁３４１は、下側シール部分３２に向かって略左右方向Ｄ１に延びている。第１内縁３４１が延びる方向と左右方向Ｄ１とが成す角度は、例えば１０°以下である。図３に示すように、第１内縁３４１は、下側シール部分３２の内縁に連結されていてもよい。
【００３６】
第２内縁３４２は、内縁第１連結部３４６からパウチ１０の上部１１に向かうにつれて少なくとも部分的に第２側部１４側へ変位するように延びている。第２内縁３４２が延びる方向と上下方向Ｄ２とが成す角度θ５は、例えば１０°以上６０°以下である。一方、第３内縁３４３は、内縁第２連結部３４７からパウチ１０の上部１１に向かうにつれて少なくとも部分的に第１側部１３側へ変位するように延びている。第３内縁３４３が延びる方向と上下方向Ｄ２とが成す角度θ６は、例えば３０°以上９０°以下である。図３に示すように、第３内縁３４３は、上側シール部分３１の内縁に連結されていてもよい。
【００３７】
内縁第１連結部３４６、内縁第２連結部３４７などの内縁連結部は、内縁３４が延びる方向が変化する部分として定義される。例えば、第１内縁３４１及び第２内縁３４２が直線状に延びる場合、内縁第１連結部３４６は、第１内縁３４１と第２内縁３４２との間に位置し、第１内縁３４１が延びる方向とは異なる方向に延び、且つ、第２内縁３４２が延びる方向とは異なる方向に延びる部分である。
【００３８】
また、第１内縁３４１及び第２内縁３４２が部分的に湾曲している場合、内縁第１連結部３４６は、内縁３４が延びる方向の変化量が３０°以上になる角度変化点を含む部分として定義されてもよい。内縁第２連結部３４７などの他の内縁連結部も同様である。後述する第１連結部４３６や第２連結部４３７などの、第１非シール部４０の縁部の第１連結部４３６第２連結部４３７も、内縁連結部と同様に定義される。以下、角度変化点について、図４を参照して説明する。
【００３９】
図４は、内縁３４の一部を拡大して示す図である。符号Ｐ０は、内縁３４上に位置する１つの点を表す。図４に示す例において、点Ｐ０は内縁第１連結部３４６上に位置する。符号Ｐ１は、点Ｐ０から５ｍｍだけ内縁３４に沿って上側シール部分３１に近づく側に変位した上側点を表す。符号Ｐ２は、点Ｐ０から５ｍｍだけ内縁３４に沿って下側シール部分３２に近づく側に変位した下側点を表す。符号Ｄ（Ｐ１）は、上側点Ｐ１において内縁３４が延びる方向を表す。符号Ｄ（Ｐ２）は、下側点Ｐ２において内縁３４が延びる方向を表す。符号θ（Ｐ０）は、方向Ｄ（Ｐ１）と方向Ｄ（Ｐ２）とが成す角度を表す。このようにして算出される角度θ（Ｐ０）が、点Ｐ０における内縁３４の角度の変化量である。また、角度θ（Ｐ０）が３０°以上になる点Ｐ０のことを、角度変化点と称する。図４に示すように、内縁第１連結部３４６は角度変化点Ｐ０を含んでいる。
【００４０】
なお、図４に示す例においては、点Ｐ０だけでなく、内縁３４上で点Ｐ０の近傍に位置する点Ｐ０’及び点Ｐ０’’においても、角度変化量が３０°以上になる。この場合、内縁第１連結部３４６は、内縁３４のうち角度変化量が３０°以上になる点を含む部分として定義される。
【００４１】
内縁第１連結部３４６は、下側シール部分３２寄りに位置している。「下側シール部分３２寄り」とは、内縁第１連結部３４６が、上下方向Ｄ２における開口縁部４１の中心よりも下側シール部分３２側に位置することを意味する。本実施の形態においては、内縁第１連結部３４６も下側シール部分３２寄りに位置している。なお、中間シール部分３３の内縁３４は上側シール部分３１寄りに位置する内縁連結部を含んでいてもよい。「上側シール部分３１寄り」とは、内縁連結部が、上下方向Ｄ２における開口縁部４１の中心よりも上側シール部分３１側に位置することを意味する。
【００４２】
内縁第１連結部３４６は、収容部１８の中心点Ｃから内縁第１連結部３４６までの距離が、収容部１８の中心点Ｃからその他の内縁連結部までの距離よりも小さくなるよう構成されている。例えば本実施の形態においては、中心点Ｃから内縁第１連結部３４６までの距離が、中心点Ｃから内縁第２連結部３４７までの距離よりも小さい。このため、パウチ１０を加熱する際に生じる内縁連結部の剥離は、初めに内縁第１連結部３４６において生じ易い。
【００４３】
次に、図５Ａを参照して、内縁第１連結部３４６及びその周辺部分の形状について詳細に説明する。図５Ａは、図３の中間シール部分３３の内縁第１連結部３４６を更に拡大して示す平面図である。図５Ａにおいて、符号θ１１は、平面視において内縁第１連結部３４６及び収容部１８の中心点Ｃを通る仮想的な直線（以下、第１仮想直線とも称する）Ｃ１と第１内縁３４１が延びる方向とが成す角度を表す。また、符号θ１２は、第１仮想直線Ｃ１と第２内縁３４２が延びる方向とが成す角度を表す。第１内縁３４１及び第２内縁３４２がいずれも直線状に延びている場合、第１仮想直線Ｃ１は、図５Ａに示すように、第１内縁３４１の延長線と第２内縁３４２の延長線の交点を通る。
【００４４】
第１仮想直線Ｃ１と第１内縁３４１が延びる方向とが成す角度θ１１は、第１仮想直線Ｃ１と第２内縁３４２が延びる方向とが成す角度θ１２よりも小さい。角度θ１１と角度θ１２の差は、例えば３０°以上である。これにより、後述するように、中間シール部分３３が剥離する際、中間シール部分３３のうち第２内縁３４２に沿って延びる部分における剥離の進行を、中間シール部分３３のうち第１内縁３４１に沿って延びる部分における剥離の進行に比べて抑制することができる。なお、第１内縁３４１が延びる方向と第２内縁３４２が延びる方向とが成す角度θ１は、角度θ１１と角度θ１２の和である。角度θ１は、９０°より大きい。角度θ１は、例えば９５°以上１７０°以下である。
【００４５】
次に、第１非シール部４０の縁部について説明する。第１非シール部４０の縁部は、第１側部１３の第１側縁１３ｘに位置する開口縁部４１と、上側シール部分３１の下縁、下側シール部分３２の下縁、及び中間シール部分３３の外縁によって画定されるシール部側の縁部４３と、を含む。本実施の形態において、シール部側の縁部４３は、図３に示すように、第１縁部４３１、第２縁部４３２及び第３縁部４３３と、第１縁部４３１と第２縁部４３２とを連結する第１連結部４３６と、第２縁部４３２と第３縁部４３３とを連結する第２連結部４３７と、を含む。本実施の形態において、第１縁部４３１、第２縁部４３２及び第３縁部４３３はいずれも直線状に延びている。また、第１連結部４３６は内縁第１連結部３４６と対向しており、第２連結部４３７は内縁第２連結部３４７と対向している。
【００４６】
第１縁部４３１は、第１連結部４３６から開口縁部４１の側へ延びている。例えば、第１縁部４３１は、開口縁部４１に向かって略左右方向Ｄ１に延びている。第１縁部４３１が延びる方向と左右方向Ｄ１とが成す角度は、例えば１０°以下である。図３に示す例において、第１縁部４３１は、開口縁部４１に達するまで直線状に延びている。
【００４７】
第２縁部４３２は、第１連結部４３６からパウチ１０の上部１１に向かうにつれて少なくとも部分的に第２側部１４側へ変位するように延びている。第１縁部４３１が延びる方向と第２縁部４３２が延びる方向とが成す角度θ２は、９０°より大きい。角度θ２は、例えば９５°以上１７０°以下である。
【００４８】
第３縁部４３３は、第２連結部４３７からパウチ１０の上部１１に向かうにつれて少なくとも部分的に第１側部１３側へ変位するように延びている。図３に示す例において、第３縁部４３３は、開口縁部４１に達するまで直線状に延びている。
【００４９】
次に、第１側部シール部３０及び第１非シール部４０の寸法について説明する。
【００５０】
図３において、符号Ｗ１及びＷ２はそれぞれ、上側シール部分３１の幅及び下側シール部分３２の幅を表す。上側シール部分３１の幅Ｗ１及び下側シール部分３２の幅Ｗ２は、例えば４ｍｍ以上且つ１５ｍｍ以下である。
【００５１】
図３において、符号Ｗ７、Ｗ８及びＷ９はそれぞれ、中間シール部分３３のうち第１内縁３４１に沿って延びる部分の幅、中間シール部分３３のうち第２内縁３４２に沿って延びる部分の幅、及び中間シール部分３３のうち第３内縁３４３に沿って延びる部分の幅を表す。好ましくは、幅Ｗ７、幅Ｗ８及び幅Ｗ９は、上側シール部分３１の幅Ｗ１及び下側シール部分３２の幅Ｗ２よりも小さい。例えば、幅Ｗ７、幅Ｗ８及び幅Ｗ９は、１ｍｍ以上６ｍｍ以下であり、２ｍｍ以上６ｍｍ以下であってもよい。なお、中間シール部分３３の各部分の幅は、中間シール部分３３の内縁が延びる方向に直交する方向における中間シール部分３３の寸法である。
【００５２】
図３において、符号Ｌ１は、上下方向Ｄ２における開口縁部４１の寸法を表し、符号Ｌ３は、上下方向Ｄ２における第２内縁３４２の寸法を表す。好ましくは、第１非シール部４０は、上下方向Ｄ２における第１非シール部４０の寸法が、第１非シール部４０のうちパウチ１０の第１側部１３の第１側縁１３ｘに重なっている部分、すなわち開口縁部４１において最大になるよう構成されている。これにより、開口縁部４１から外部へ蒸気をスムーズに排出することができる。寸法Ｌ１は、例えば４ｍｍ以上且つ３０ｍｍ以下である。また、上下方向Ｄ２における第２内縁３４２の寸法Ｌ３は、加熱の際に中間シール部分３３の剥離が内縁第１連結部３４６から内縁第２連結部３４７まで進行しないように設定されている。寸法Ｌ３は、例えば４ｍｍ以上１２ｍｍ以下である。
【００５３】
また、図３において、符号Ｌ４は、内縁３４のうち第２連結部４３７よりも上方に位置する部分の、上下方向Ｄ２における寸法を表す。好ましくは、寸法Ｌ４は、上下方向Ｄ２における第２内縁３４２の寸法Ｌ３よりも大きい。また、好ましくは、第２連結部４３７は、上下方向Ｄ２における開口縁部４１の中間点よりも下方に位置している。
【００５４】
次に、パウチ１０の第１側部シール部３０中間シール部分３３及び第１非シール部４０と収容部１８の中心点Ｃとの関係について、第２仮想直線Ｍに基づいて説明する。第２仮想直線Ｍとは、平面視において第１連結部４３６及び収容部１８の中心点Ｃを通る仮想的な直線である。図５Ｂは、図５Ａに第２仮想直線Ｍを追加するとともに、符号の一部を削除したものである。第１縁部４３１及び第２縁部４３２がいずれも直線状に延びている場合、第２仮想直線Ｍは、図５Ｂに示すように、第１縁部４３１の延長線と第２縁部４３２の延長線の交点を通る。第２仮想直線Ｍは、中間シール部分３３の内縁第１連結部３４６に交わっていてもよい。
【００５５】
第２仮想直線Ｍと第１縁部４３１が延びる方向とが成す角度θ２１は、第２仮想直線Ｍと第２縁部４３２が延びる方向とが成す角度θ２２よりも小さくてもよい。角度θ２１と角度θ２２の差は、例えば３０°以上である。なお、第１縁部４３１が延びる方向と第２縁部４３２が延びる方向とが成す上述の角度θ２は、角度θ２１と角度θ２２の和である。
【００５６】
次に、パウチ１０の第１側部１３の第１側縁１３ｘと第２仮想直線Ｍとの関係について説明する。図１及び図５Ｂに示すように、平面視において、第１側縁１３ｘと第２仮想直線Ｍとの交点Ｍ３は、第１非シール部４０に位置していてもよい。言い換えると、第２仮想直線Ｍは、第１側縁１３ｘのうち第１非シール部４０に重なる部分である開口縁部４１において、平面視において第１側縁１３ｘと交わっていてもよい。
【００５７】
次に、表面フィルム１５及び裏面フィルム１６を構成する積層体５０の層構成について説明する。図６は、積層体５０の層構成の一例を示す断面図である。
【００５８】
積層体５０は、基材層５１及びシーラント層５２を少なくとも含む。図６に示す例においては、基材層５１が積層体５０の外面５０ｙを構成し、シーラント層５２が積層体５０の内面５０ｘを構成している。また、積層体５０は、基材層５１とシーラント層５２とを接着する接着層５３を更に含んでいてもよい。積層体５０の厚みは、例えば６０μｍ以上であり、より好ましくは７０μｍ以上である。また、積層体５０の厚みは、例えば１１０μｍ以下であり、より好ましくは１００μｍ以下である。
【００５９】
基材層５１を構成する材料としては、例えば、ポリエチレンテレフタレートやポリブチレンテレフタレートなどのポリエステルやナイロンなどのポリアミドや高密度ポリエチレンやポリプロピレンといったポリオレフィンなどのプラスチックを用いることができる。基材層５１の厚みは、例えば１０μｍ以上かつ３０μｍ以下である。
【００６０】
シーラント層５２を構成する材料としては、例えば、エチレン−メタクリル酸共重合体（ＥＭＭＡ）や低密度ポリエチレン（ＬＤＰＥ）や直鎖状低密度ポリエチレン（ＬＬＤＰＥ）などのポリエチレンやポリプロピレンを用いることができる。シーラント層５２の厚みは、例えば４０μｍ以上であり、より好ましくは５０μｍ以上である。また、シーラント層５２の厚みは、例えば１００μｍ以下であり、より好ましくは７０μｍ以下である。
【００６１】
積層体５０は、基材層５１、シーラント層５２及び接着層５３以外の層を含んでいてもよい。例えば、積層体５０は、基材層５１とシーラント層５２との間に位置する中間層を更に含んでいてもよい。中間層としては、水蒸気その他のガスバリア性、遮光性、各種の機械的強度など、必要とされる性能に応じて、適切なものが選択され得る。
【００６２】
次に、下部フィルム１７の層構成について説明する。表面フィルム１５の内面及び裏面フィルム１６の内面と接合可能な内面を有する限りにおいて、下部フィルム１７の層構成は任意である。例えば、表面フィルム１５及び裏面フィルム１６と同様に、下部フィルム１７として上述の積層体５０を用いてもよい。若しくは、内面がシーラント層によって構成され、且つ積層体５０とは異なる構成のフィルムを、下部フィルム１７として用いてもよい。
【００６３】
パウチの製造方法
次に、上述のパウチ１０の製造方法について説明する。まず、積層体５０からなる表面フィルム１５及び裏面フィルム１６を準備する。また、表面フィルム１５と裏面フィルム１６との間に、折り返した状態の下部フィルム１７を挿入する。続いて、各フィルムの内面同士をヒートシールして、下部シール部１２ａ、第１側部シール部３０、第２側部シール部３５などのシール部を形成する。また、ヒートシールによって互いに接合されたフィルムを適切な形状に切断して、図１に示すパウチ１０を得る。続いて、上部１１の開口部を介して内容物をパウチ１０に充填する。その後、上部１１を上縁１１ｘに沿ってヒートシールして上部シール部１１ａを形成する。このようにして、図７に示すように、内容物が収容され封止されたパウチ１０を得ることができる。
【００６４】
また、本実施の形態においては、上述のように、中間シール部分３３の内縁３４の第３内縁３４３は、内縁第２連結部３４７からパウチ１０の上部１１に向かうにつれて少なくとも部分的に第１側部１３側へ変位するように延びている。言い換えると、第３内縁３４３は、内縁第２連結部３４７に向かうにつれて下方に変位するよう傾斜している。このため、内容物を充填する工程の際、上部１１の開口部から中間シール部分３３の第３内縁３４３に到達した内容物を下方へ導くことができる。これにより、内容物が中間シール部分３３の内縁３４上に残ってしまうことを抑制することができる。
【００６５】
パウチの開封方法
次に、上述のパウチ１０を開封する方法について説明する。まず、下部１２を下にしてパウチ１０を自立させた状態で、パウチ１０を電子レンジの内部に載置する。次に、電子レンジを利用して内容物を加熱する。これによって、内容物の温度が高くなり、これに伴って、内容物に含まれる水分が蒸発して収容部１８の圧力が高まる。
【００６６】
収容部１８の圧力が高くなると、図７において符号１８ａが付された一点鎖線で示すように、パウチ１０が収容部１８の中心点Ｃを中心として、例えば円形状に膨らんでいく。このため、シール部の各位置には、中心点Ｃからシール部に向かう方向の力が加わる。シール部の各位置に加わる力は、中心点Ｃとの間の距離が小さいほど大きくなる。ここで本実施の形態においては、第１側部シール部３０が、下側シール部分３２の内縁３２ａよりも第２側部１４側に位置する中間シール部分３３を含む。従って、中間シール部分３３に加わる力Ｆは、上側シール部分３１及び下側シール部分３２に加わる力よりも大きい。また、中心点Ｃから内縁第１連結部３４６までの距離は、中心点Ｃからその他の内縁連結部までの距離よりも小さい。このため、内縁第１連結部３４６には、内縁第２連結部３４７などのその他の内縁連結部に比べて大きな力が加わる。
【００６７】
なお、収容部１８の中心点Ｃは、平面視において上部シール部１１ａの内縁１１ｃの中間点Ｙ１と下部シール部１２ａの内縁１２ｃの中間点Ｙ２とを結ぶ線分の中間点として定義される。図７において、符号Ｈ３は、上部シール部１１ａの内縁１１ｃの中間点Ｙ１から下部シール部１２ａの内縁１２ｃの中間点Ｙ２までの、上下方向Ｄ２における距離を表す。また、符号Ｈ４は、収容部１８の中心点Ｃから中間シール部分３３の内縁第１連結部３４６までの、上下方向Ｄ２における距離を表す。距離Ｈ４は、例えば０．０５×Ｈ３以上且つ０．５×Ｈ３以下である。なお、上部シール部１１ａが形成される前のパウチ１０においては、中間点Ｙ１は、パウチ１０のうち上部シール部１１ａが形成されるべき部分の内縁の中間点として特定され得る。
【００６８】
中間シール部分３３に力Ｆが加わると、中間シール部分３３の剥離が進行する。中間シール部分３３の剥離は、図８に示すように、初めに内縁第１連結部３４６の部分において生じる。その後、中間シール部分３３の剥離が進行して第１連結部４３６にまで達すると、収容部１８が第１非シール部４０に連通することができる。図９は、中間シール部分が剥離して連通口４４が形成された様子を示す図である。
【００６９】
ところで、連通口４４が大きくなり過ぎると、収容部１８の蒸気だけでなく内容物も連通口４４を通ってパウチ１０の外部へ漏れ出してしまうことが考えられる。従って、内容物の漏れ出しを防ぐという観点においては、連通口４４が大きくなり過ぎることを抑制することが好ましい。ここで本実施の形態においては、第２内縁３４２が、内縁第１連結部３４６からパウチ１０の上部１１に向かうにつれて少なくとも部分的に第２側部１４側へ変位するように延びている。このため、収容部１８の中心点Ｃから内縁第１連結部３４６に向かう方向と第２内縁３４２が延びる方向とが成す角度（上述のθ１２）が大きくなっている。これにより、中間シール部分３３の剥離が、第２内縁３４２に沿った方向において進行することを抑制することができる。このため、図１０に示すように、第２内縁３４２に沿う部分において連通口４４が拡大することを抑制することができる。この結果、図１１において矢印Ｔ２で示すように、左右方向Ｄ１の速度成分を有する内容物が連通口４４を通って第１非シール部４０に流入することを抑制することができる。これにより、内容物が外部に漏れ出してしまうことを抑制することができる。
【００７０】
また、本実施の形態においては、収容部１８の中心点Ｃから内縁第１連結部３４６に向かう方向と第１内縁３４１が延びる方向とが成す角度θ１１が、収容部１８の中心点Ｃから内縁第１連結部３４６に向かう方向と第２内縁３４２が延びる方向とが成す角度θ１２よりも小さくなっている。このため、中間シール部分３３のうち第１内縁３４１に沿って延びる部分の剥離が、中間シール部分３３のうち第２内縁３４２に沿って延びる部分に比べて進行し易い。この結果、図１０に示すように、中間シール部分３３のうち第２内縁３４２に沿う部分に比べて、第１内縁３４１に沿う部分において、連通口４４を大きく形成することができる。これにより、図１１において矢印Ｔ３で示すように、収容部１８で発生した、上下方向Ｄ２の速度成分を有する蒸気が、連通口４４を通って第１非シール部４０に流入し易くなる。
【００７１】
また、本実施の形態においては、第１非シール部４０の第３縁部４３３が、第２連結部４３７からパウチ１０の上部１１に向かうにつれて少なくとも部分的に第１側部１３側へ変位するように延びている。このため、図１１において矢印Ｔ４で示すように、連通口４４を通って第１非シール部４０に流入した、上下方向Ｄ２の速度成分を有する蒸気を、第３縁部４３３に沿って開口縁部４１へスムーズに導くことができる。以下の説明において、本実施の形態における第３縁部４３３のような、第１非シール部４０の縁部４３のうち上側シール部分３１寄りに位置し、パウチ１０の上部１１に向かうにつれて第１側部１３側へ変位するように延びる部分のことを、ガイド縁部とも称する。ガイド縁部は、好ましくは本実施の形態における第３縁部４３３のように、第１側部１３の第１側縁１３ｘに至るよう、すなわち開口縁部４１に至るように延びている。
【００７２】
また、本実施の形態においては、平面視において、第１側縁１３ｘと第２仮想直線Ｍとの交点Ｍ３が第１非シール部４０に位置している。好ましくは、収容部１８から第１非シール部４０に進入した仮想直線Ｍは、上側シール部分３１、下側シール部分３２、中間シール部分３３などのシール部に接することなく第１側縁１３ｘの開口縁部４１に達している。このため、第２仮想直線Ｍが延びる方向に沿って収容部１８から第１非シール部４０に流入した蒸気がスムーズに第１側縁１３ｘの開口縁部４１に到達して外部へ排出され易くなる。これにより、第１非シール部４０において蒸気が滞留して開口縁部４１が閉塞してしまうことを抑制することができる。
【００７３】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７４】
第１の変形例
上述の実施の形態においては、中間シール部分３３の内縁３４の第１内縁３４１が、内縁第１連結部３４６から下側シール部分３２に向かって略左右方向Ｄ１に延びる例を示した。しかしながら、これに限られることはなく、例えば図１２に示すように、第１内縁３４１は、内縁第１連結部３４６から下側シール部分３２に向かうにつれて下部１２側へ変位するように延びていてもよい。第１内縁３４１が延びる方向と第２内縁３４２が延びる方向とが成す角度θ１は、例えば９５°以上１７０°以下である。
【００７５】
第２の変形例
上述の実施の形態においては、中間シール部分３３の幅が位置に依らず略同一である例を示した。言い換えると、中間シール部分３３の内縁３４と第１非シール部４０の縁部４３とが略平行に延びている例を示した。しかしながら、これに限られることはなく、中間シール部分３３の幅が位置に応じて変化してもよい。例えば図１３に示すように、中間シール部分３３のうち第３内縁３４３に対応する部分の幅Ｗ９が、第１側部１３の側から内縁第２連結部３４７の側に向かうにつれて少なくとも部分的に増加していてもよい。これにより、内縁第１連結部３４６と上側シール部分３１との間において中間シール部分３３の剥離が進行することを抑制することができる。なお、図１３に示す例において、第１非シール部４０の縁部４３の第２縁部４３２は、第１連結部４３６からパウチ１０の上部１１に向かうにつれて第１側部１３側へ変位するよう直線状に延び、開口縁部４１に至っている。
【００７６】
第３の変形例
図１４に示す例において、中間シール部分３３の内縁３４は、第１内縁３４１、第２内縁３４２、第３内縁３４３、第４内縁３４４及び第５内縁３４５と、第１内縁３４１と第２内縁３４２とを連結する内縁第１連結部３４６と、第２内縁３４２と第３内縁３４３とを連結する内縁第２連結部３４７と、第３内縁３４３と第４内縁３４４とを連結する内縁第３連結部３４８と、第４内縁３４４と第５内縁３４５とを連結する内縁第４連結部３４９と、を含む。上述の実施の形態及び各変形例の場合と同様に、第２内縁３４２は、内縁第１連結部３４６からパウチ１０の上部１１に向かうにつれて少なくとも部分的に第２側部１４側へ変位するように直線状に延びている。これにより、内縁第１連結部３４６と上側シール部分３１との間において中間シール部分３３の剥離が進行することを抑制することができる。
【００７７】
図１４に示す例において、第３内縁３４３は、内縁第２連結部３４７からパウチ１０の上部１１に向かって略上下方向Ｄ２に直線状に延びている。第４内縁３４４は、内縁第３連結部３４８からパウチ１０の上部１１に向かうにつれて第１側部１３側へ変位するように直線状に延びている。第５内縁３４５は、内縁第４連結部３４９から上側シール部分３１に向かって略左右方向Ｄ１に直線状に延びている。
【００７８】
図１４に示す例において、第１非シール部４０の縁部４３は、湾曲した形状、例えば半円状の形状を有する。この場合、縁部４３の上部は、第１非シール部４０に流入した蒸気を開口縁部４１へ導くガイド縁部として機能し得る。
【００７９】
第４の変形例
上述の実施の形態においては、パウチ１０が、表面フィルム１５、裏面フィルム１６及び下部フィルム１７を備えるガセットタイプのパウチである例を示した。しかしながら、これに限られることはなく、図１５に示すように、パウチ１０が、表面フィルム１５及び裏面フィルム１６を備える、いわゆる平パウチであってもよい。この場合、中間シール部分３３が収容部１８の中心点Ｃよりも鉛直方向において上方に位置するようパウチ１０の姿勢が維持された状態で、パウチ１０が電子レンジにより加熱される。例えば、パウチ１０が、図示しない紙製の箱に収容された状態で販売される場合、箱を用いてパウチ１０を所定の姿勢に維持することができる。
【００８０】
第５の変形例
上述の実施の形態においては、第１側部１３の第１側縁１３ｘと第１側部シール部３０との間には第１非シール部４０が形成されているが、第２側部１４の第２側縁１４ｘと第２側部シール部３５との間には非シール部が形成されていない例を示した。しかしながら、これに限られることはなく、図１６に示すように、第２側部１４の第２側縁１４ｘと第２側部シール部３５との間に第２非シール部４５が形成されていてもよい。この場合、第２非シール部４５は、パウチ１０の第２側部１４の第２側縁１４ｘに達するよう広がっていてもよい。言い換えると、第２非シール部４５は、第２側縁１４ｘに重なり、外部に開口した開口縁部４６を有していてもよい。
【００８１】
第２側部シール部３５は、上側シール部分３６、下側シール部分３７及び中間シール部分３８を有していてもよい。上側シール部分３６は、第２非シール部４５からパウチ１０の上部１１へ向かって第２側部１４に沿って延びている。下側シール部分３７は、第２非シール部４５からパウチ１０の下部１２へ向かって第２側部１４に沿って延びている。中間シール部分３８は、収容部１８と第２非シール部４５との間に位置している。中間シール部分３８は、上側シール部分３６に連設された一端と、下側シール部分３７に連設された他端と、を含む。
【００８２】
図１７は、図１６のパウチ１０の第２側部シール部３５の中間シール部分３８及び第２非シール部４５を拡大して示す正面図である。第２非シール部４５の縁部は、第２側縁１４ｘに位置する上述の開口縁部４１と、中間シール部分３８側の縁部と、を含む。第２非シール部４５の中間シール部分３８側の縁部は、第１縁部４８１、第２縁部４８２及び第３縁部４８３を含む。第１縁部４８１及び第３縁部４８３は、開口縁部４６から収容部１８側へ延びている。第１縁部４８１は、第１非シール部４０の第１縁部４３１と同一の方向に延びていてもよい。また、第３縁部４８３は、第１非シール部４０の第３縁部４３３と同一の方向に延びていてもよい。第２縁部４８２は、第１縁部４８１に連設された下端と、第３縁部４８３に連設された上端と、を含み、上下方向Ｄ２に延びている。このような形状を有する第２非シール部４５は、例えば特開２０１６−７４４５７号公報に開示されているように、１つの非シール部を切断することにより第１非シール部４０と同時に形成される。例えば、搬送方向に沿って延びる、互いに部分的に接合され表面フィルム１５、裏面フィルム１６及び下部フィルム１７を、シール部及び非シール部に沿って切断して複数のパウチ１０を製造する際、切断された非シール部の一方が第１非シール部４０となり他方が第２非シール部４５となる。
【００８３】
図１７において、符号Ｗ１１、Ｗ１２及びＷ１３はそれぞれ、上側シール部分３６の幅、下側シール部分３７の幅及び中間シール部分３８の幅を表す。図１７に示す例において、上側シール部分３６の幅Ｗ１１と下側シール部分３７の幅Ｗ１２とは同一である。中間シール部分３８の幅Ｗ１３は、上側シール部分３６の幅Ｗ１１及び下側シール部分３７の幅Ｗ１２よりも小さい。
【００８４】
また、図１６に示すように、パウチ１０は、第２側部シール部３５の上側シール部分３６に形成されたノッチ３５ａを含んでいてもよい。ノッチは、パウチ１０を構成するフィルムを引き裂いてパウチ１０を開封する際の起点となることができる。また、図１６に示すように、第２側部シール部３５のノッチ３５ａと左右方向Ｄ１において対向するように、第１側部シール部３０の上側シール部分３１にノッチ３０ａがさらに設けられていてもよい。
【００８５】
第６の変形例
上述の第５の変形例においては、第２側部シール部３５において、上側シール部分３６の幅Ｗ１１と下側シール部分３７の幅Ｗ１２とが同一である例を示した。しかしながら、これに限られることはなく、図１８に示すように、上側シール部分３６の幅Ｗ１１が下側シール部分３７の幅Ｗ１２よりも大きくてもよい。これにより、パウチ１０を加熱した後に使用者が上側シール部分３６を指で摘む際に、使用者が過度な熱さを感じることを抑制することができる。
【００８６】
第７の変形例
上述の第６の変形例においては、第２側部シール部３５の上側シール部分３６の幅Ｗ１１が下側シール部分３７の幅Ｗ１２よりも大きく、且つ、第２側部シール部３５と第２側縁１４ｘとの間に第２非シール部４５が形成されている例を示した。しかしながら、これに限られることはなく、図１９に示すように、第２側部シール部３５の上側シール部分３６の幅Ｗ１１が下側シール部分３７の幅Ｗ１２よりも大きいが、第２側部シール部３５と第２側縁１４ｘとの間に第２非シール部４５が形成されていなくてもよい。この場合、第２側部シール部３５の中間シール部分３８は、第２側部シール部３５のうち、左右方向Ｄ１において収容部１８を挟んで第１側部シール部３０の中間シール部分３３と対向する部分として定義される。中間シール部分３８の幅Ｗ１３は、下側シール部分３７の幅Ｗ１２よりも大きくてもよい。上側シール部分３６の幅Ｗ１１と中間シール部分３８の幅Ｗ１３とは、同一であってもよく、異なっていてもよい。
【００８７】
第８の変形例
図１８及び図１９に示す第２側部シール部３５の上側シール部分３６及び下側シール部分３７の場合と同様に、第１側部シール部３０の上側シール部分３１の幅Ｗ１が下側シール部分３２の幅Ｗ２よりも大きくてもよい。これにより、パウチ１０を加熱した後に使用者が上側シール部分３１を指で摘む際に、使用者が過度な熱さを感じることを抑制することができる。図２０は、下側シール部分３２の幅Ｗ２よりも大きい幅Ｗ１を有する上側シール部分３１を、図３Ａに示す上述の本実施の形態の第１側部シール部３０に適用した場合を示す正面図である。また、図２１は、下側シール部分３２の幅Ｗ２よりも大きい幅Ｗ１を有する上側シール部分３１を、図１３に示す上述の第２の変形例の第１側部シール部３０に適用した場合を示す正面図である。図示はしないが、下側シール部分３２の幅Ｗ２よりも大きい幅Ｗ１を有する上側シール部分３１は、上述のその他の変形例に適用されてもよい。
【００８８】
なお、上述した実施の形態に対するいくつかの変形例を説明してきたが、当然に、複数の変形例を適宜組み合わせて適用することも可能である。例えば図２２に示すように、パウチ１０は、図２０に示す、下側シール部分３２の幅Ｗ２よりも大きい幅Ｗ１を有する上側シール部分３１を含む第１側部シール部３０と、図１８に示す、下側シール部分３７の幅Ｗ１２よりも大きい幅Ｗ１１を有する上側シール部分３６を含む第２側部シール部３５と、を備えていてもよく、また、第２側部シール部３５の上側シール部分３６にはノッチ３５ａが設けられていてもよく、第１側部シール部３０の上側シール部分３１にはノッチ３０ａが設けられていてもよい。
【符号の説明】
【００８９】
１０  パウチ
１１  上部
１１ａ  上部シール部
１２  下部
１２ａ  下部シール部
１３  第１側部
１３ｘ  第１側縁
１４  第２側部
１４ｘ  第２側縁
１５  表面フィルム
１６  裏面フィルム
１７  下部フィルム
１８  収容部
３０  第１側部シール部
３１  上側シール部分
３２  下側シール部分
３３  中間シール部分
３４  内縁
３４１  第１内縁
３４２  第２内縁
３４３  第３内縁
３４６  内縁第１連結部
３４７  内縁第２連結部
３５  第２側部シール部
３６  上側シール部分
３７  下側シール部分
３８  中間シール部分
４０  第１非シール部
４１  開口縁部
４３  シール部側の縁部
４３１  第１縁部
４３２  第２縁部
４３３  第３縁部
４３６  第１連結部
４３７  第２連結部
４５  第２非シール部
４６  開口縁部
４８１  第１縁部
４８２  第２縁部
４８３  第３縁部
５０  積層体
５０ｘ  内面
５０ｙ  外面
５１  基材層
５２  シーラント層
５３  接着層
【図１】
2020037451.tif 000003
【図２】
2020037451.tif 000004
【図３】
2020037451.tif 000005
【図４】
2020037451.tif 000006
【図５Ａ】
2020037451.tif 000007
【図５Ｂ】
2020037451.tif 000008
【図６】
2020037451.tif 000009
【図７】
2020037451.tif 000010
【図８】
2020037451.tif 000011
【図９】
2020037451.tif 000012
【図１０】
2020037451.tif 000013
【図１１】
2020037451.tif 000014
【図１２】
2020037451.tif 000015
【図１３】
2020037451.tif 000016
【図１４】
2020037451.tif 000017
【図１５】
2020037451.tif 000018
【図１６】
2020037451.tif 000019
【図１７】
2020037451.tif 000020
【図１８】
2020037451.tif 000021
【図１９】
2020037451.tif 000022
【図２０】
2020037451.tif 000023
【図２１】
2020037451.tif 000024
【図２２】
2020037451.tif 000025